(57)【要約】      （修正有）【課題】構成部品が少なく、かつ組み立て及び調整工程が少ないサブアセンブリを提供する。【解決手段】少なくとも１つのバー３及び少なくとも１つのヒゲゼンマイ７１を含む、時計の脱進機機構サブアセンブリ１であって、ヒゲゼンマイ７１の外側端部はヒゲゼンマイ用ヒゲ持ちに固定されている、サブアセンブリ１。少なくとも１つのヒゲゼンマイ７１及びこれと関連するヒゲゼンマイ用ヒゲ持ちは、バー３と単一の部品であるアセンブリを形成する。【選択図】図１
2014182146.tif 000002
【特許請求の範囲】
【請求項１】
少なくとも１つのバー（３）及び少なくとも１つのヒゲゼンマイ（７１）を含む、時計の脱進機機構サブアセンブリ（１）であって、
前記ヒゲゼンマイ（７１）の外側端部はヒゲゼンマイ用ヒゲ持ち（７３）に固定され、
少なくとも１つの前記ヒゲゼンマイ（７１）及び前記ヒゲゼンマイ（７１）と関連する前記ヒゲゼンマイ用ヒゲ持ち（７３）は、前記バー（３）と単一の部品であるアセンブリを形成することを特徴とする、サブアセンブリ（１）。
【請求項２】
少なくとも１つの前記ヒゲ持ち（７３）は位置調整可能であり、ロック手段によって予備調整位置にロックされることを特徴とする、請求項１に記載のサブアセンブリ（１）。
【請求項３】
前記ヒゲ持ち（７３）は、前記ヒゲ持ち（７３）及び前記バー（３）と単一の部品である弾性復元手段（７５）によって前記バーに固定されることを特徴とする、請求項１に記載のサブアセンブリ（１）。
【請求項４】
前記ヒゲゼンマイ（７１）は、前記バー（３）と単一の部品である２つのピン（７４）によってクランプ留めされる外側コイル（７７）を含むことを特徴とする、請求項１に記載のサブアセンブリ（１）。
【請求項５】
前記ピン（７４）の少なくとも一方は、弾性復元手段（７６）で前記バー（３）に固定され、
前記弾性復元手段（７６）は、前記少なくとも一方のピン（７４）及び前記バー（３）と単一の部品であり、前記ピン（７４）を他方の前記ピン（７４）に近づくように移動させる
ことを特徴とする、請求項４に記載のサブアセンブリ（１）。
【請求項６】
前記バー（３）は、前記ヒゲゼンマイ（７１）の内側端部又は前記脱進機機構の構成部品の内側端部を受承するよう設計されたテンプ（４１）のピボットを受承するための少なくとも１つの衝撃吸収軸受けと共に、分離不可能な単一部品の構成部品を形成することを特徴とする、請求項１に記載のサブアセンブリ（１）。
【請求項７】
前記バー（３）は、前記ヒゲゼンマイ（７１）の内側端部を受承するよう設計された前記テンプ（４１）を枢動させるために、弾性復元手段（１４）で前記バー（３）に接続された軸受けキャリヤ（１３）に格納されたピボット（４５）を含むことを特徴とする、請求項１に記載のサブアセンブリ（１）。
【請求項８】
前記サブアセンブリは、剛性構造を含む位置調整機構（８０）を含み、
前記剛性構造は、少なくとも１つの弾性ストリップ（８３）を介して少なくとも１つの位置調整用構成部品（８２）を支持し、
前記位置調整用構成部品（８２）は、１つの前記ヒゲ持ち（７３）を支持し、調整機構（９０）が備える相補的インデックス手段（９１）と協働するよう配設されるインデックス手段（８４）を含み、
前記相補的インデックス手段（９１）は、前記インデックス手段（８４）に着脱可能に取り付けられ、前記構造（８１）に弾性的に固定されたクランプ留め機構（９４）によって協働位置にロックすることができ、
前記クランプ留め機構（９４）は、ロック機構（９８）の作用を受け、これにより前記クランプ留め機構は、前記調整機構（９０）が自由となる分離位置又は前記クランプ留め機構（９４）が前記調整機構（９０）を妨害する係合位置を取ることができ、
前記ロック機構（９８）もまた、前記構造（８１）に弾性的に固定される
ことを特徴とする、請求項１に記載のサブアセンブリ（１）。
【請求項９】
前記サブアセンブリは、前記剛性構造を含む位置調整機構（８０）を含み、
前記剛性構造は、少なくとも１つの前記弾性ストリップ（８３）を介して少なくとも１つの前記位置調整用構成部品（８２）を支持し、
前記位置調整用構成部品（８２）は、前記ヒゲゼンマイ（７１）の内側端部を受承するよう設計された前記テンプ（４１）の前記ピボットを受承するための軸受け（４４）又は前記軸受けキャリヤ（１３）を支持し、前記調整機構（９０）が備える前記相補的インデックス手段（９１）と協働するよう配設される前記インデックス手段（８４）を含み、
前記相補的インデックス手段（９１）は、前記インデックス手段（８４）に着脱可能に取り付けられ、前記構造（８１）に弾性的に固定された前記クランプ留め機構（９４）によって協働位置にロックすることができ、
前記クランプ留め機構（９４）は、前記ロック機構（９８）の作用を受け、これにより前記クランプ留め機構は、前記調整機構（９０）が自由となる前記分離位置又は前記クランプ留め機構（９４）が前記調整機構（９０）を妨害する前記係合位置を取ることができ、
前記ロック機構（９８）もまた、前記構造（８１）に弾性的に固定される
ことを特徴とする、請求項１に記載のサブアセンブリ（１）。
【請求項１０】
前記バー（３）は、前記ヒゲゼンマイ（７１）の前記内側端部を受承するよう設計された前記テンプ（４１）の前記ピボットを受承するための、少なくとも１つの前記軸受け（４４）又は前記軸受けキャリヤ（１３）を含むこと、並びに
少なくとも１つの前記軸受け（４４）又は前記軸受けキャリヤ（１３）は、前記バー（３）と単一の部品として作製され、前記テンプ（４１）のアーバ（４７）を径方向に保持するための回転肩部（４６）、及び前記アーバ（４７）の端部を軸方向に制限するための前方肩部（４９）を含み、前記回転肩部（４６）及び前記前方肩部（４９）は、これもまた前記バー（３）と単一の部品である弾性衝撃吸収装置（４８）によって共に支持されること
を特徴とする、請求項１に記載のサブアセンブリ（１）。
【請求項１１】
前記サブアセンブリ（１）が備える前記一体化された弾性復元手段は、酸化シリコン状態でプレストレスを与えられることを特徴とする、請求項１に記載のサブアセンブリ（１）。
【請求項１２】
少なくとも１つのサブアセンブリ（１）を含む請求項１〜１１のいずれか１項に記載の、機械式時計ムーブメント（１００）。
【発明の詳細な説明】
【技術分野】
【０００１】
本発明は、少なくとも１つのバー及び少なくとも１つのヒゲゼンマイを含む時計の脱進機機構に関し、ヒゲゼンマイの外側端部はヒゲゼンマイのヒゲ持ちに固定される。
【０００２】
本発明はまた、このタイプの少なくとも１つのサブアセンブリを含む機械式時計ムーブメントにも関する。
【０００３】
本発明は時計機構の分野、より具体的には、直ぐに使用可能な機能モジュールを組み込んだ脱進機機構の分野に関する。
【背景技術】
【０００４】
モジュール式アセンブリの使用により、異なるオプション又は機能に、特に機械式時計ムーブメントのケース内の複雑機構によってそれぞれカスタマイズされる、一群の製品を、共通のベースを用いて製造することが可能となる。
【０００５】
極めて高精度なモジュール又はサブアセンブリの概念により、大規模生産と高品質な製品とを両立させることができる。
【０００６】
また、ＥＴＡ  ＳＡによる特許文献１及び特許文献２から、時計ムーブメント用のモジュール式サブアセンブリが公知である。これらの特許出願明細書に開示されている機械式モジュールは、これらの設定の耐久性を保証するために、非可逆的に予備調整されて組み立てられる。
【０００７】
しかしながら、従来の実施形態では、モジュールは構成部品の数を常に減らすことができるわけではない。構成部品の数を減らすことができれば、製造コストの削減及び組み立て方式の簡略化を実現し、中級技術者でも極めて複雑な機能を組み立て及び調整できるようにすることができる。
【０００８】
ＴＩＳＳＯＴによる特許文献３は、ヒゲゼンマイの外側端部を固定するための、突出したヒゲ持ちを備える剛性支持体を含むデバイスを開示しており、ヒゲゼンマイはこれらヒゲ持ちの間の波状の通路を通り、ヒゲ持ちのうちの一方が備える重複部分によって横方向に保持される。
【０００９】
ＲＯＬＥＸによる特許文献４は、少なくとも２つの同一平面上のストリップを有するヒゲゼンマイを開示しており、これらストリップは、各ストリップの端部のうちの１つがストリップの他の端部に対してアーバの周りで角度的に変位する際に中央アーバに印加され得る横方向の力を打ち消すことができるオフセットを有した状態で巻かれている。変形例では、これらのストリップは、それぞれが有する２つの内側端部及び外側端部によって互いに連結される。
【００１０】
ＲＯＬＥＸによる別の特許文献５は、ヒゲゼンマイを開示しており、このヒゲゼンマイのストリップの外側端部は、時計のフレームに接続するための部材と一体として作製され、この接続部材の剛性はヒゲゼンマイの剛性より高い。接続部材及びフレームは相補的な軸受け表面を有する。
【先行技術文献】
【特許文献】
【００１１】
【特許文献１】欧州特許出願第１１１９３１７３．９号
【特許文献２】欧州特許出願第１１１９３１７４．７号
【特許文献３】スイス特許第４４７０４２号
【特許文献４】欧州特許出願第２１５１７２２Ａ１号
【特許文献５】欧州特許出願第２３４７１２６Ａ１号
【発明の概要】
【発明が解決しようとする課題】
【００１２】
従って本発明は、構成部品の数が少なく、かつ組み立て及び調整工程が少ないサブアセンブリを提供することを提案する。
【００１３】
特に、ヒゲゼンマイの組み付けは自動化するのが困難な作業である。しかし、本発明によれば、より扱いが容易なサブアセンブリにヒゲゼンマイを一体化するという概念により、組み立ての自動化を改善することができる。
【課題を解決するための手段】
【００１４】
この目的のために、本発明は、新規の微小構成部品製造技術、ＭＥＭＳ、「ＬＩＧＡ」、リソグラフィ等を利用して、ここではサブアセンブリとして示すモジュールの製造を最適化する。これらのサブアセンブリは場合に応じて、上述の２つの特許出願と同様に互いに対して非可逆的に組み付けるか、又は従来の方法で位置決めする及び組み立てることができる。
【００１５】
本発明は、少なくとも１つのバー及び少なくとも１つのヒゲゼンマイを含む時計の脱進機機構サブアセンブリに関し、ヒゲゼンマイの外側端部はヒゲゼンマイのヒゲ持ちに固定され、
少なくとも１つの上記ヒゲゼンマイ及びこれと関連する上記ヒゲゼンマイ用ヒゲ持ちは、上記バーと単一の部品であるアセンブリを形成する。
【００１６】
本発明の特徴によると、少なくとも１つの上記ヒゲ持ちは位置調整可能であり、ロック手段によって予備調整位置にロックされる。
【００１７】
本発明の特徴によると、上記ヒゲ持ちは、上記ヒゲ持ち及び上記バーと単一の部品である弾性復元手段によって上記バーに固定される。
【００１８】
本発明はまた、このタイプの少なくとも１つのサブアセンブリを含む機械式時計ムーブメントにも関する。
【００１９】
複数の構成部品を、単一の組立体にすること、特に地板又はバーと一緒に構成する利点は、組立体の数を削減でき、組み立てに関する問題を回避できるということである。本発明の利点は、これらのモノリシックな構成部品を作製する際の精度に起因するものである（典型的には、これらの部品は例えばシリコン製であり、従ってマイクロメートル単位の精度を有する）。
【００２０】
モノリシックなサブアセンブリは、中心間の距離を保証し、特に好ましい応用例において発振器である即時使用可能な機構を形成するという主な利点を有する。
【００２１】
本発明は特に可撓性支持体に関し、この可撓性ガイド部材は以下の利点：
−保証された精度；
−極めて低減された摩擦レベル又はゼロ摩擦レベル；
−摩擦が存在しないか又は少なくとも摩擦レベルが極めて低減されていることによる、移動中のヒステリシスの不在；
−潤滑の不在；
−遊びの不在；及び
−摩耗の不在
を有する。
【００２２】
可撓性支持体の使用は、例えば移動距離の制限や、低い復元力の点でいくつかの制限を受ける。しかしながら、これらの制限は特に調速に関する多数の時計学的機能を妨害するものではない。
【００２３】
これらの制限は、高い精度の中心間距離、作製する構成部品の数の少なさ、並びにそれらに伴う複雑性及び組付け時間の削減によって十分に補償される。本発明によるサブアセンブリは、サブアセンブリ内の機構、特に発振器が、ムーブメント内への組付け準備済みの構成部品を形成する、という大きな工業的利点を有する。更に、本発明のサブアセンブリの形態でムーブメント全体を考案することも当然可能である。
【００２４】
本発明の他の特徴及び利点は、添付の図面を参照して以下の詳細な説明を読むことにより明らかになるであろう。
【図面の簡単な説明】
【００２５】
【図１】図１は、本発明によるサブアセンブリの概略側面図であり、このサブアセンブリは脱進機機構の特定の場合に関するものであり、バーと単一の部品として作製されたヒゲゼンマイを含む。
【図２】図２は、同様の変形例を示す図１と同様の図である。
【図３】図３は、ある変形例の図１と同様の図であり、ここでは、ヒゲゼンマイはヒゲ持ちと単一の部品として作製され、ヒゲ持ちはバーと単一の部品として作製され、かつ一体化された弾性復元手段によってバーに接続される。
【図４】図４は、ある変形例の図１と同様の図であり、ここでは、ヒゲゼンマイはヒゲ持ちと単一の部品として作製され、ヒゲ持ちはバーと単一の部品として作製され、またヒゲゼンマイの外側端部はバーと単一の部品として形成されたピンによってクランプ留めされ、これらピンのうちの少なくとも一方は、一体化された弾性復元手段によってバーに接続される。
【図４Ａ】図４Ａは、ヒゲゼンマイの内側端部を受承するよう設計されたテンプを枢動させるために、弾性復元手段によってバーに接続された軸受けキャリヤに格納されたピボットを含む、バーを示す。
【図５】図５は、遊びを有する従来のピンの平面図及び側面図である。
【図６】図６は、一体化された弾性復元手段の効果によってヒゲゼンマイをクランプ留めするこのタイプの一対のピンの側面図である。
【図７】図７〜９は、モノリシックなサブアセンブリの平面図を示し、このサブアセンブリは、これもまたアセンブリに一体化された構成部品のための位置調整手段を含み、この調整手段はクランプ留め手段によって所定の位置にロックすることができる。図７は、ヒゲゼンマイを引っ掛けるためのピボットの、櫛状部を含む弾性調整手段を介した調整を示し、櫛状部は調整された位置にロックされ、ロック機構はクランプ留め手段を制御する。
【図８】図８は、図７と同様の実施例を示し、ここで櫛状部は２つの可撓性ストリップの間に保持され、双安定性構成部品を形成する。
【図９】図９は、櫛状部が可撓性ストリップの端部に配置された緩急針を固定する、図７と同様の機構を示し、櫛状部は、板バネクランプによって緩急針に押圧され、この板バネクランプはロック用フィンガによって固定される。
【図１０】図１０は、地板又はバーと単一の部品である衝撃吸収軸受けを有する、ピボットのアーバを通る断面図である。
【図１１】図１１は、本発明によるサブアセンブリを含む時計ムーブメントの図である。
【発明を実施するための形態】
【００２６】
本発明は時計機構の分野に関し、より具体的には、即時使用可能な機能モジュールと一体であるムーブメントに関する。
【００２７】
本発明は、少なくとも１つのバー３及び少なくとも１つのヒゲゼンマイ７１を含む時計の脱進機機構サブアセンブリ１に関し、ヒゲゼンマイ７１の外側端部はヒゲゼンマイのヒゲ持ち７３に固定される。
【００２８】
本発明によると、このタイプの少なくとも１つのヒゲゼンマイ７１及びこれと関連するヒゲ持ち７３は、バー３と単一の部品であるアセンブリを形成する。
【００２９】
図７〜９に示す有利な変形例では、このタイプの少なくとも１つのヒゲ持ち７３は位置調整可能であり、ロック手段によって予備調整位置に固定される。
【００３０】
図１は、ヒゲゼンマイ７１の平面においてヒゲ持ちが地板７２と一体であり、この平面は実際のバー３の平面と平行でありかつこれと一体化されており、これら全てによって単一部品である構成部品２０が構成される場合を図示している。
【００３１】
図２は、ヒゲ持ち７３がバー３から突出しており、ヒゲ持ち７３の端部がヒゲゼンマイ７１の平面にあり、この平面はバー３の平面と平行であり、これら全てによって単一部品である構成部品２０が構成される場合を図示している。
【００３２】
図３、４は、ヒゲ持ち７３が同時に２つの高さ、即ちヒゲゼンマイ７１の高さ及びバー３の高さにわたって延在しており、これら全てによって単一部品である構成部品２０が構成される場合を図示している。
【００３３】
特に図２、３からわかるように、ヒゲゼンマイ７１は、ヒゲゼンマイが外側コイル７７を介して取り付けられるヒゲ持ち７３と単一の部品として作製されている。このヒゲ持ち７３はバー３と単一の部品として作製され、ヒゲ持ち７３及びバー３の両方と単一の部品として作製された第２の一体化された弾性復元手段７５によってバー３に接続される。好ましくは、第２の弾性復元手段の弾性を利用して達成されるヒゲ持ちの位置調整は、クランプ留め手段によって維持され、このクランプ留め手段は図３には図示されていないが、その一例が図７、９に示されている。
【００３４】
ヒゲゼンマイ７１の外側コイルの有効長の調整は、様々な様式で達成できる。
【００３５】
ある変形例では、ヒゲゼンマイ７１の外側コイル７７は、バー３と単一の部品である２つのピン７４Ａ、７４Ｂによってクランプ留めされる。
【００３６】
別の変形例では、ピン７４の少なくとも一方は第２の弾性復元手段７６で上側のバー３に固定され、この弾性復元手段７６は上記少なくとも一方のピン７４Ａ又は７４Ｂ及びバー３と単一の部品であり、上記ピンを他方のピン７４Ｂ又は７４Ａに近づくように移動させる。
【００３７】
従って図４は図３の実施形態の変形例を示し、ここでもまたヒゲゼンマイ７１はヒゲ持ち７３と単一の部品として作製され、ヒゲ持ち７３はバー３と単一の部品として作製され、またヒゲゼンマイの外側端部は、バー３と単一の部品であるピン７４Ａ、７４Ｂによってヒゲ持ち７３と離間してクランプ留めされ、ヒゲゼンマイ７１の有効長を修正するための緩急針７４の均等物を形成する。
【００３８】
図６に示す、遊びがない実施形態では、これらのピン７４Ａ、７４Ｂの少なくとも一方は弾性復元手段７６によってバー３に接続され、この弾性復元手段７６もまたバー３と一体化され、上記少なくとも一方のピン７４及びバー３と単一の部品であり、上記ピンを他方のピン７４に近づくように移動させる。
【００３９】
しかしながら図５は、ごく僅かな遊びを有する実施形態を示しており、ここではピン７４Ａ、７４Ｂの径方向への独立した調整により、ムーブメントの等速性を様々な位置において調整する。
【００４０】
この弾性復元手段７６は特に、ヒゲゼンマイ７１の平面又はバー３の平面又は他のいずれの平面に位置する１つ又は複数の可撓性要素から形成される。有利な変形例では、ヒゲゼンマイ７１及び／又はピン７４Ａ若しくは７４Ｂには局所的にノッチを設けてよく、これによって不連続的な、ノッチ毎の調整が可能となる。
【００４１】
機構１の予備調整を容易に行えるようにするために、その構成部品のうちの少なくとも１つは調整可能であり、ロック手段によって予備調整位置にロックされる。
【００４２】
図７〜９に示す特定の変形例では、サブアセンブリ１は、剛性構造８１を含む位置調整機構８０を含む。この剛性構造８１は好ましくはバー３で形成され、少なくとも１つの弾性ストリップ８３を介して、（特にヒゲ持ちで形成されるか又はヒゲ持ち７３を支持する）少なくとも１つの位置調整用構成部品８２を支持する。この位置調整用構成部品８２は、調整機構９０が備える相補的インデックス手段９１と協働するよう配設されるインデックス手段８４を含む。この相補的インデックス手段９１はインデックス手段８４に着脱可能に取り付けられ、構造８１に弾性的に固定されたクランプ留め機構９４によって協働位置にロックすることができる。クランプ留め機構９４はロック機構９８の作用を受け、これにより機構９４は、調整機構９０が自由となる分離位置又はクランプ留め機構９４が調整機構９０を妨害する係合位置を取ることができる。ロック機構９８もまた、構造８１に弾性的に固定される。
【００４３】
ある変形例では、この位置調整機構８０は位置調整用構成部品８２を支持し、この位置調整用構成部品８２は、ヒゲゼンマイ７１の内側端部を前述のものと同一の構造で受承するよう設計された、テンプ４１のピボットを受承するための軸受け４４又は軸受けキャリヤ１３を支持する。
【００４４】
図７の場合、この位置調整用構成部品８２はインデックス手段８４を含み、このインデックス手段８４は、ここでは櫛状部即ち歯付きセクタで形成された、調整機構９０が備える相補的インデックス手段９１と協働するよう配設される。この相補的インデックス手段９１は、インデックス手段８４に着脱可能に取り付けられる。相補的インデックス手段９１はまた、クランプ留め機構９４によって協働位置にロックすることができる。
【００４５】
このクランプ留め機構９４は、少なくとも１つの可撓性要素９６によって構造８１に弾性的に固定され、好ましくはロック機構の作用を受け、これにより機構９４は、調整機構９０が自由となる分離位置又はクランプ留め機構９４が調整機構９０を妨害する係合位置を取ることができる。このロック機構は、ジャンパを形成し構造８１に弾性的に固定される少なくとも１つの可撓性要素９８を含み、上記少なくとも１つの可撓性要素９８は、クランプ９４の嘴状部９７と協働して、位置調整中はクランプを離間させて保持するか、又は位置調整実行時のクランプの安全装置としてクランプ９４の相補的停止表面９５と協働する嘴状部９９を含む。後者はフォークの形状であり、これによって櫛状部９１が備えるアーム９３の移動距離を制限する。
【００４６】
図８は同様の実施例を示し、櫛状部９１は２つの実質的に整列された可撓性ストリップ９２、９２Ａの間に保持され、バックリングによって動作する双安定性構成部品を形成し、このアセンブリは２つの安定位置：櫛状部９１が可動ヒゲ持ち８２のフィンガ８４と協働する第１の作動位置Ａ、及び櫛状部がフィンガから取り外される第２の解放位置Ｂを取ることができる。
【００４７】
図９は、櫛状部９１が可撓性ストリップ８３の端部に配置された緩急針８４をロックする、同様の機構を示し、櫛状部９１は、クランプ９４が備える板バネクランプ９６によって緩急針８４に押圧され、この板バネクランプ９６は、少なくとも１つの可撓性ストリップ９８に設置されたロック用フィンガ９９によってロックされ、上記フィンガ９９はストリップ９６の停止表面９７と協働する。
【００４８】
上述のように、クランプ留め機構及びロック機構を組み合わせたこのような調整は、ここではヒゲゼンマイの軸と同心の移動においてヒゲ持ちを調整するための特定の応用例を示したが、軸受け、停止部材、インデックスピン又は他の要素の位置決めといった広範な応用例に応用できる。
【００４９】
図１０によるある変形例では、バー３は、ヒゲゼンマイ７１の内側端部又は脱進機機構の構成部品の内側端部を受承するよう設計されたテンプ４１のピボットを受承するための少なくとも１つの衝撃吸収軸受けと共に、分離不可能な単一部品の構成部品を形成する。
【００５０】
特に、図４Ａに示す有利な変形例では、ヒゲゼンマイ７１の内側端部を受承するよう設計されたテンプ４１を枢動させるために、バー３は、弾性復元手段１４でバー３に接続された軸受けキャリヤ１３に格納されたピボット４５を含む。同様に、このピボット４５を地板２上に配設してよい。
【００５１】
ピボット４５は、従来のピボット又は可撓性支持体で形成してよい。
【００５２】
特定の例では、ピボット４５は、場合に応じてバー３又は地板２と単一の部品である、可撓性支持体である。
【００５３】
特定の例（図示せず）では、テンプ４１の一方の端部は可撓性支持体及びバー３（又は地板２）と単一の部品であり、テンプは可撓性支持体のクリアランスによって制限された移動距離を有し、可撓性支持体は有利には、テンプの十分な角度的移動距離を可能とするために複数の段階を有するよう作製され、バー３（又は地板２）と単一の部品である。より具体的には、このタイプの可撓性支持体をヒゲゼンマイ７１で形成してよい。
【００５４】
別の変形例（図示せず）では、テンプ４１はその各側において、ヒゲゼンマイ７１を形成する可撓性支持体によってバー３及び地板２の両方に引っ掛けられ、これら２つのヒゲゼンマイ７１は同一方向又は逆方向のトルクを発生させる。
【００５５】
好ましくは、この弾性復元手段１４はバー３及び軸受けキャリヤ１３と単一の部品であり、ある変形例では、ピボット４５もまたこの単一部品サブアセンブリ１の一部を形成する。
【００５６】
サブアセンブリ１の特定の実施形態では、バー３は、ヒゲゼンマイの内側端部を受承するよう設計されたテンプを枢動させるための、少なくとも１つの軸受け４４若しくは４５又は軸受けキャリヤ１３を含み、少なくとも１つの上記軸受け４４若しくは４５又は上記軸受けキャリヤ１３は、バー３と単一の部品として作製され、テンプ４１のアーバ４７を径方向に保持するための回転肩部４６、及び上記アーバ４７の端部を軸方向に制限するための前方肩部４９を含み、回転肩部４６及び前方肩部４９は、これもまたバー３と単一の部品である弾性衝撃吸収装置４８によって共に支持される。
【００５７】
有利な実施形態では、サブアセンブリ１はシリコン製である。ピボット４５の枢動点は、例えばシリコン基材への異方性（ＫＯＨ）エッチングによって画定される。宝石のアセンブリを有するタイプも考えられる。その大きな利点としては、枢動点を極めて正確に位置決め（中心からの距離、鉛直度）できることが挙げられる。
【００５８】
従って衝撃吸収装置は部分的又は全体的に地板内に作製されてよく、衝撃吸収装置のバネは地板と連接するように作製されてよい。２つの宝石のうちの１つ（又は両方）は、地板と連接するように作製されてよい。そして、シリコンにおいて直接枢動が起こる。枢動点は、ＤＬＣ又は他の表面コーティングを有するシリコンに直接作製してよい。よって、これ以上の宝石は必要なく、回転点は極めて正確に位置決めされる。
【００５９】
特定の実施形態では、サブアセンブリ１は、より大きなアセンブリ内でのサブアセンブリの組み立てを容易にすることを目的とした分割可能な要素を含み、これら分割可能な要素は、構造１の構成要素のうちのいくつかに１つ又は複数の自由度を与えるため以外には分解する必要はない。特に、これら分割可能な要素はバーと隣接してヒゲゼンマイの内側端部に配置され、テンプ４１を組み付けてヒゲゼンマイ７１をテンプのヒゲ玉に固定する際にのみ分解される。
【００６０】
特定の変形例（図示せず）では、サブアセンブリ１は脱進機機構全体を含む。
【００６１】
特定の実施形態では、サブアセンブリ１が備える一体化された弾性復元手段は、例えば図８に示すような少なくとも１つの双安定性又は多安定性要素を含み、図８はバックリングによって動作中の、２つの実質的に整列された弾性ストリップ９２、９２Ａの間に櫛状部９１を含む双安定性要素を示し、このアセンブリは２つの安定位置：櫛状部９１が可動ヒゲ持ち８２のフィンガ８４と協働する第１の作動位置Ａ、及び櫛状部９１がフィンガ８４から外れる第２の解放位置Ｂを取ることができる。
【００６２】
シリコン製である本発明によるサブアセンブリ１の有利な実施形態では、サブアセンブリ１が備える一体化された弾性復元手段は、酸化シリコン状態でプレストレスを与えられる。
【００６３】
本発明によるサブアセンブリ１の有利な実施形態では、バー３は、精密機械加工可能な材料、即ちシリコン又は酸化シリコン製であり、バー３が備える一体化された弾性復元手段は、酸化シリコン状態でプレストレスを与えられる。ＭＥＭＳ又は「ＬＩＧＡ」技術における他の材料も使用してよい。石英、ＤＬＣ、少なくとも部分的に非晶質の材料又は金属ガラスをこれらの応用例に使用してよいが、上記リストは限定的なものではない。
【００６４】
バー３及び／又はこれが備える分離不可能な単一部品の構成部品の特定の構成により、機構サブアセンブリ１のこれら構造要素又は構成部品の膨張による影響を補償できる。例えば、安定性のために、バー３をシリコンで作製してこれを酸化させることができる。
【００６５】
本発明はまた、このタイプの少なくとも１つのサブアセンブリ１を含む機械式時計ムーブメント１００にも関する。
【符号の説明】
【００６６】
１ サブアセンブリ
２ 地板
３ バー
１３ 軸受けキャリヤ
１４ 弾性復元手段
２０ モノブロック構成部品
４１ テンプ
４４ 軸受け
４５ ピボット、軸受け
４６ 回転肩部
４７ アーバ
４８ 弾性衝撃吸収装置
４９ 前方肩部
７１ ヒゲゼンマイ
７２ 地板
７３ ヒゲ持ち
７４ ピン
７４Ａ ピン
７４Ｂ ピン
７５ 弾性復元手段
７６ 弾性復元手段
７７ 外側コイル
８０ 位置調整機構
８１ 剛性構造
８２ 位置調整用構成部品、可動ヒゲ持ち
８３ 弾性ストリップ、可撓性ストリップ
８４ インデックス手段、フィンガ、緩急針
９０ 調整機構
９１ 相補的インデックス手段、櫛状部
９２ 可撓性ストリップ、弾性ストリップ
９２Ａ 可撓性ストリップ、弾性ストリップ
９３ アーム
９４ クランプ留め機構、クランプ
９５ 相補的停止表面
９６ 可撓性要素、ストリップ、板バネクランプ
９７ 嘴状部、停止表面
９８ ロック機構、可撓性要素、可撓性ストリップ
９９ 嘴状部、ロック用フィンガ
１００ 機械式時計ムーブメント
Ａ 第１の作動位置
Ｂ 第２の解放位置
【図１】
2014182146.tif 000003
【図２】
2014182146.tif 000004
【図３】
2014182146.tif 000005
【図４】
2014182146.tif 000006
【図４Ａ】
2014182146.tif 000007
【図５】
2014182146.tif 000008
【図６】
2014182146.tif 000009
【図７】
2014182146.tif 000010
【図８】
2014182146.tif 000011
【図９】
2014182146.tif 000012
【図１０】
2014182146.tif 000013
【図１１】
2014182146.tif 000014